(57)【要約】【課題】室外ユニットの内部に設置された制御装置上の表示部を、有効に利用することのできる空気調和装置の室外ユニットを提供する。【解決手段】室内ユニット２０と接続された状態にて使用される空気調和装置１０の室外ユニット３０は、室外ケーシング３１と、圧縮機３２と、室外側制御基板４０とを備える。室外側制御基板４０の室外側インターフェース４１には、室外ユニット３０と室内ユニット２０とが非接続の状態時に、検査用コマンドを送信する検査装置５０が接続される。室外側制御基板４０の室外側表示部４３は、室外ユニット３０と室内ユニット２０とが接続されている状態時には、空気調和装置１０に関する情報を、文字及び数字の少なくとも１つにより表示する。室外側表示部４３は、室外側インターフェース４１に検査装置５０が接続されている状態時には、検査装置５０から送信された検査用コマンドに応じた表示を行う。【選択図】図２
2014055749.tif 000002
【特許請求の範囲】
【請求項１】
室内ユニット（２０）と接続された状態にて使用される空気調和装置（１０）の室外ユニット（３０）であって、
室外ケーシング（３１）と、
前記室外ケーシング内に配置されており、前記室内ユニットとの間を循環する冷媒を圧縮する圧縮機（３２）と、
前記室外ケーシング内に配置されており、前記圧縮機を含む機器の制御を行う室外制御装置（４０）と、
を備え、
前記室外制御装置は、
前記室外ユニットと前記室内ユニットとが非接続の状態時に、前記室外ユニットの検査に関するコマンドを送信する検査装置（５０）が接続される接続部（４１）と、
前記室外ユニットと前記室内ユニットとが接続されている状態時には、前記空気調和装置に関する情報を文字及び数字の少なくとも１つにより表示し、前記接続部に前記検査装置が接続されている状態時には、前記検査装置から送信された前記コマンドに応じた表示を行う、制御装置側表示部（４３）と、
を有する、
空気調和装置の室外ユニット（３０）。
【請求項２】
前記空気調和装置の出荷前に行われるライン検査時に、前記検査装置が前記接続部に接続される、
請求項１に記載の空気調和装置の室外ユニット（３０）。
【請求項３】
前記検査装置は、
前記室外ユニットに送信した前記コマンドを表示可能な検査装置側表示部（５４）、
を有する、
請求項１または２に記載の空気調和装置の室外ユニット（３０）。
【請求項４】
前記室外制御装置が前記検査装置から前記コマンドを受信した際、前記室外制御装置が前記機器を動作させることで、前記室外ユニットの検査が行われる、
請求項１から３のいずれか１項に記載の空気調和装置の室外ユニット（３０）。
【発明の詳細な説明】
【技術分野】
【０００１】
本発明は、空気調和装置の室外ユニット、特に、室内ユニットと接続された状態にて使用される空気調和装置の室外ユニットに関する。
【背景技術】
【０００２】
空気調和装置には、屋外に設置される室外ユニットと、室内等の空調対象空間に設置される室内ユニットとによって構成されたセパレートタイプの空調機がある。このような空気調和装置には、例えば特許文献１（特開２００９−２４３８４５号公報）に示されるように、室外ユニット内部に制御装置が設けられているものがある。制御装置は、室外ユニット及び室内ユニットそれぞれに含まれる各種機器を制御する制御部、及び、各種機器に送信する制御信号を表示する表示部を備えている。
【発明の概要】
【発明が解決しようとする課題】
【０００３】
特許文献１では、室内ユニット及び室外ユニットが互いに接続され、空気調和装置が冷房運転及び暖房運転等である各種運転を行っている場合に、表示部には制御信号が表示されるようになっている。ところが、特許文献１に係る表示部は、空気調和装置が実際に運転を行っている場合以外においては、利用されておらず、表示部を更に様々な用途においても利用することが望まれる。
【０００４】
そこで、本発明の課題は、室外ユニットの内部に設置された制御装置における表示部を、有効に利用することにある。
【課題を解決するための手段】
【０００５】
本発明の第１観点に係る空気調和装置の室外ユニットは、室内ユニットと接続された状態にて使用される空気調和装置の室外ユニットである。この室外ユニットは、室外ケーシングと、圧縮機と、室外制御装置とを備える。圧縮機は、室外ケーシング内に配置されており、室内ユニットとの間を循環する冷媒を圧縮する。室外制御装置は、室外ケーシング内に配置されており、圧縮機を含む機器の制御を行う。そして、室外制御装置は、接続部と、制御装置側表示部とを有する。接続部には、室外ユニットと室内ユニットとが非接続の状態時に、検査装置が接続される。検査装置とは、室外ユニットの検査に関するコマンドを送信する装置である。制御装置側表示部は、室外ユニットと室内ユニットとが接続されている状態時には、空気調和装置に関する情報を、文字及び数字の少なくとも１つにより表示する。制御装置側表示部は、接続部に検査装置が接続されている状態時には、検査装置から送信されたコマンドに応じた表示を行う。
【０００６】
この室外ユニットには、室外ユニットが室内ユニットと接続されていない状態、即ち、室外ユニットが単体で存在する時には、検査装置が接続され、該ユニットの検査が行われる。この際、検査装置から室外制御装置へと、室外ユニットの検査に関するコマンドが送信され、このコマンドは、室外制御装置が有する制御装置側表示部に表示される。このように、制御装置側表示部は、室外ユニットの検査時にも用いられる。そのため、室外ユニットの検査を担当する担当者は、制御装置側表示部を介して、検査装置と室外ユニットとの接続が良好か否かを知ることができると共に、例えば室外ユニットに異常があるか否か等を、知ることができる。
【０００７】
本発明の第２観点に係る空気調和装置の室外ユニットは、第１観点に係る空気調和装置の室外ユニットにおいて、空気調和装置の出荷前に行われるライン検査時に、検査装置が接続部に接続される。
【０００８】
これにより、空気調和装置の室外ユニットにおける初期不良を、空気調和装置の製造工程時に把握することができる。
【０００９】
本発明の第３観点に係る空気調和装置の室外ユニットは、第１観点または第２観点に係る空気調和装置の室外ユニットにおいて、検査装置は、検査装置側表示部、を有する。検査装置側表示部は、室外ユニットに送信したコマンドを表示することができる。
【００１０】
検査装置と室外制御装置との間が断線している場合、検査装置からのコマンドは室外制御装置には送られることがないため、検査装置側表示部にコマンドが表示されているとしても、制御装置側表示部には表示されない。これにより、検査装置と室外制御装置との間の断線が把握できるようになる。また、検査装置及び室外制御装置の双方の表示内容によって、検査装置及び室外制御装置のどちらが異常であるのかや、その異常内容等の把握が可能になる。
【００１１】
本発明の第４観点に係る空気調和装置の室外ユニットは、第１観点から第３観点のいずれかに係る空気調和装置の室外ユニットにおいて、室外制御装置が検査装置からコマンドを受信した際、室外制御装置が機器を動作させることで、室外ユニットの検査が行われる。
【００１２】
ここでは、室外制御装置が受信したコマンドに応じて、室外ユニットは実際に動作する。そのため、室外ユニットの検査が、より詳細になされるようになる。
【発明の効果】
【００１３】
本発明の第１観点に係る空気調和装置の室外ユニットによると、室外ユニットの検査を担当する担当者は、制御装置側表示部を介して、検査装置と室外ユニットとの接続が良好か否かを知ることができると共に、例えば室外ユニットに異常があるか否か等を、知ることができる。
【００１４】
本発明の第２観点に係る空気調和装置の室外ユニットによると、空気調和装置の室外ユニットにおける初期不良を、空気調和装置の製造工程時に把握することができる。
【００１５】
本発明の第３観点に係る空気調和装置の室外ユニットによると、検査装置と室外制御装置との間の断線が把握できるようになる。また、検査装置及び室外制御装置の双方の表示内容によって、検査装置及び室外制御装置のどちらが異常であるのかや、その異常内容等の把握が可能になる。
【００１６】
本発明の第４観点に係る空気調和装置の室外ユニットによると、室外ユニットの検査が、より詳細になされるようになる。
【図面の簡単な説明】
【００１７】
【図１】本発明の一実施形態に係る空気調和装置の概略構成図。
【図２】室内ユニット及び室外ユニットの未接続状態時に、室外ユニットに接続された検査装置を表すと共に、検査装置及び室外ユニットの構成を模式的に示すブロック図。
【図３】室外ユニットにおける室外側表示部と室外側制御部との接続状態を表す図。
【図４】室内ユニット及び室外ユニットが互いに接続された状態時における、室外側表示部の表示例。
【図５】室内ユニット及び室外ユニットが未接続であって、且つ室外ユニットに検査装置が接続されている状態時における、室外側表示部の表示例。
【図６】検査装置の記憶部に記憶されている検査用コマンドと、該コマンドの内容とを説明するための概念図。
【図７】室内ユニット及び室外ユニットの未接続状態時に行われる室外ユニットのライン検査において、室外ユニットと検査装置との間で行なわれる一連の動作の流れを説明するための図。
【発明を実施するための形態】
【００１８】
以下、本発明に係る空気調和装置の室外ユニットについて、図面を参照しつつ詳述する。なお、以下の実施形態は、本発明の具体例であって、本発明の技術的範囲を限定するものではない。
【００１９】
（１）空気調和装置の全体構成
図１は、本発明の一実施形態に係る空気調和装置１０の概略構成図である。空気調和装置１０は、室内の天井や壁面等に設置される室内ユニット２０と、屋外に設置される室外ユニット３０とで構成されたセパレート型の空調機である。
【００２０】
各ユニット２０，３０は、室内及び屋外それぞれに設置された状態にて、各ユニット２０，３０間を循環する冷媒が通るための冷媒配管Ｐｉ１，Ｐｉ２によって接続されており、蒸気圧縮式の冷媒回路１０ａが構成されている。更に、各ユニット２０，３０は、室内及び屋外それぞれに設置された状態にて、各ユニット２０，３０の間で通信を行うために用いられる第１伝送線Ｌ１によっても接続されている。各ユニット２０，３０が冷媒配管Ｐｉ１，Ｐｉ２及び第１伝送線Ｌ１によって互いに接続されている状態にて、空気調和装置１０は使用される。つまり、各ユニット２０，３０が互いに接続されている状態にて、空気調和装置１０は、室内に対して冷房運転及び暖房運転等を行うことができる。
【００２１】
また、空気調和装置１０が製造工場において製造されている製造工程時を含む出荷前の状態時には、室内ユニット２０及び室外ユニット３０は、冷媒配管Ｐｉ１，Ｐｉ２及び第１伝送線Ｌ１によって未だ接続されていない。つまり、室内ユニット２０及び室外ユニット３０が実際の使用場所となる室内及び屋外それぞれに設置された場合に、各ユニット２０，３０は、冷媒配管Ｐｉ１，Ｐｉ２及び第１伝送線Ｌ１によってようやく互いに接続されることとなる。
【００２２】
以下では、説明の便宜上、各ユニット２０，３０が、室内及び屋外それぞれに設置され且つ冷媒配管Ｐｉ１，Ｐｉ２及び第１伝送線Ｌ１によって互いに接続されている状態を、「各ユニット２０，３０の接続状態時」という。空気調和装置１０が出荷される前の製造工程において行われるライン検査の段階において、各ユニット２０，３０が接続されていない状態を、「各ユニット２０，３０の未接続状態時」という。
【００２３】
（２）室内ユニット
室内ユニット２０は、主として、室内ファン２２、室内側熱交換器２３、室内側制御部２４及び室内側表示部２５を有している。室内ファン２２、室内側熱交換器２３及び室内側制御部２４は、該ユニット２０の室内ケーシング（図示せず）の内部に配置されている。室外側表示部２５は、室内ケーシングのうち、化粧パネルである外面に設けられている。
【００２４】
（２−１）室内ファン
室内ファン２２は、室内空気を吸い込み口（図示せず）を介してケーシング内に吸い込むと共に、室内側熱交換器２３にて熱交換された後の空気を吹き出し口（図示せず）を介してケーシング内から室内に吹き出す遠心送風機である。室内ファン２２は、例えばターボファンで構成され、室内ファンモータＭ２２を駆動源として回転駆動される。
【００２５】
（２−２）室内側熱交換器
室内側熱交換器２３は、冷房運転時には、冷媒の蒸発器として機能し、暖房運転時には、冷媒の放熱器として機能する熱交換器である。室内側熱交換器２３は、各冷媒配管Ｐｉ１，Ｐｉ２に接続されており、伝熱管とフィンとを有するフィンチューブ型熱交換器で構成されている。室内側熱交換器２３は、ケーシング内に吸い込まれた室内の空気と冷媒との熱交換を行う。
【００２６】
（２−３）室内側制御基板
室内側制御基板２４には、室内側制御部２４ａが実装されている。室内側制御部２４ａは、室内ユニット２０内の各種機器を制御するためのものであって、ＲＡＭ及びＲＯＭ、ＣＰＵ等によって構成されている。例えば、室内側制御部２４ａには、室内ファンモータＭ２２が接続されており、該モータＭ２２の回転数制御を行うことで、室内ファン２２の風量制御を行う。
【００２７】
更に、室内側制御部２４ａは、各ユニット２０，３０の接続状態時には、第１伝送線Ｌ１を介して室外ユニット３０における室外側制御基板４０と接続されている。室内側制御部２４ａは、例えば、空気調和装置１０の運転中等に、室外ユニット３０における異常の有無を室内側表示部２５に表示させる制御を行う。
【００２８】
（２−４）室内側表示部
室内側表示部２５は、複数の発光ダイオード等で構成されており、運転中の空気調和装置１０に関する各種情報を表示することができる。各種情報としては、室内の温度、空気調和装置１０が実際に行っている運転の種類、各ユニット２０，３０の異常の有無などが含まれる。
【００２９】
その他、室内ユニット２０は、図示してはいないが、吹き出し口に設けられた水平フラップ、吸込空気温度センサ等の各種センサ等を有している。
【００３０】
（３）室外ユニット
室外ユニット３０は、図１及び図２に示すように、主として、室外ケーシング３１、圧縮機３２、四路切換弁３３、室外側熱交換器３４、膨張弁３５、液側閉鎖弁３６、ガス側閉鎖弁３７、室外ファン３８、及び室外側制御基板４０（室外制御装置に相当）を有している。
【００３１】
（３−１）室外ケーシング
室外ケーシング３１は、略直方体の形状を有している。室外ケーシング３１の内部には、圧縮機３２、四路切換弁３３、室外側熱交換器３４、膨張弁３５、液側閉鎖弁３６、ガス側閉鎖弁３７、室外ファン３８及び室外側制御基板４０が配置されている。
【００３２】
更に、図示はしていないが、室外ケーシング３１には、外気を該ケーシング３１内部に取り込むための吸入開口部、及び熱交換後後の外気を該ケーシング３１外部に排出するための排出開口部などが形成されている。
【００３３】
（３−２）圧縮機
圧縮機３２は、低圧のガス冷媒を吸入し、圧縮して高圧のガス冷媒とした後に吐出することで、室内ユニット２０と室外ユニット３０との間を循環する冷媒を圧縮する機構である。ここでは、圧縮機３２として、圧縮機用ケーシング（図示せず）内に収容されたロータリ式やスクロール式等の容積式の圧縮要素（図示せず）が、同じく圧縮機用ケーシング内に収容された圧縮機モータＭ３２を駆動源として駆動される密閉式圧縮機が採用されており、これにより圧縮機３２の容量制御が可能になっている。即ち、圧縮機３２は、容量可変自在なタイプの圧縮機である。
【００３４】
圧縮機モータＭ３２は、３相のブラシレスＤＣモータであって、複数の駆動コイルで構成されるステータと、永久磁石で構成されるロータと、ステータに対するロータの位置を検出するためのホール素子等を有している。
【００３５】
（３−３）四路切換弁
四路切換弁３３は、冷房運転と暖房運転との切換時に、冷媒の流れの方向を切り換えるための弁である。四路切換弁３３は、冷房運転時には、圧縮機３２の吐出側と室外側熱交換器３４のガス側とを接続するとともにガス側閉鎖弁３７と圧縮機３２の吸入側とを接続する（図１における四路切換弁３３の実線を参照）。また、四路切換弁３３は、暖房運転時には、圧縮機３２の吐出側とガス側閉鎖弁３７とを接続するとともに室外側熱交換器３４のガス側と圧縮機３２の吸入側とを接続する（図２における四路切換弁３３の破線を参照）。つまり、四路切換弁３３の採り得る接続状態は、空気調和装置１０の運転種類に応じて変化する。
【００３６】
（３−４）室外側熱交換器
室外側熱交換器３４は、冷房運転時には冷媒の放熱器として機能し、暖房運転時には冷媒の蒸発器として機能する熱交換器である。室外側熱交換器３４は、その液側が膨張弁３５に接続されており、ガス側が四路切換弁３３に接続されている。このような室外側熱交換器３４は、例えば、伝熱管とフィンとを有するフィンチューブ型熱交換器で構成されており、吸入開口部を介して室外ケーシング３１内に吸い込まれた外気と冷媒との間で、熱交換を行わせる。
【００３７】
（３−５）各種弁
膨張弁３５は、冷房運転時には、室外側熱交換器３４において放熱した高圧の液冷媒を室内側熱交換器２３に送る前に減圧する。また、膨張弁３５は、暖房運転時には、室内側熱交換器２３において放熱した高圧の液冷媒を室外側熱交換器３４に送る前に減圧することが可能な電動膨張弁である。
【００３８】
液側閉鎖弁３６及びガス側閉鎖弁３７は、冷媒配管Ｐｉ１，Ｐｉ２の接続口に設けられた弁である。室外ケーシング３１内部において、液側閉鎖弁３６は、膨張弁３５に接続されており、ガス側閉鎖弁３７は、四路切換弁３３に接続されている。
【００３９】
（３−６）室外ファン
室外ファン３８は、外気を、吸入開口部を介して室外ケーシング３１内に吸入して室外側熱交換器３４に供給する。そして、室外ファン３８は、室外側熱交換器３４に供給されて冷媒との間で熱交換された後の外気を、排出開口部を介して室外ケーシング３１の外部に排出する。室外ファン３８としては、例えばプロペラファンが採用されており、室外ファンモータＭ３８を駆動源として回転駆動され、これにより風量制御が可能になっている。
【００４０】
室外ファンモータＭ３８は、ブラシレスＤＣモータであって、ステータ、ロータ及びホール素子等を有している。
【００４１】
（３−７）室外側制御基板
室外側制御基板４０は、各ユニット２０，３０同士が接続されているか否かに関わらず、図２に示すように、室外ユニット３０が有する各種機器（具体的には、圧縮機モータＭ３２、四路切換弁３３、膨張弁３５及び室外ファンモータＭ３８）と接続されている。室外側制御基板４０は、接続されているこれらの各種機器の制御を行うための基板である。
【００４２】
このような室外側制御基板４０には、主として、室外側インターフェース４１（接続部に相当）、室外側制御部４２、及び室外側表示部４３（制御装置側表示部に相当）が実装されている。
【００４３】
（３−７−１）室外側インターフェース
室外側インターフェース４１は、各ユニット２０，３０それぞれが屋外及び室内に設置されている状態において、図１に示すように、室外側制御基板４０と室内側制御基板２４とを第１伝送線Ｌ１を介して通信可能に接続するためのものである。
【００４４】
更に、本実施形態に係る室外側インターフェース４１には、図２に示すように、各ユニット２０，３０の未接続状態時（即ち、空気調和装置１０のライン検査の段階において、各ユニット２０，３０が互いに接続されていない状態時）、室内側制御基板２４ではなく検査装置５０が、第２伝送線Ｌ２を介して接続される。この際、室外側インターフェース４１は、室外ユニット３０の検査に関する検査用コマンドを検査装置５０から受信することができる。本実施形態に係る室外ユニット３０は、ライン検査時、検査装置５０からの運転指示に基づいて実際に暖房運転または冷房運転時と同様の運転を試運転として行うが、検査用コマンドには、この運転指示が含まれる。その他、検査用コマンドには、試運転の際における室外ユニット３０の各種機器に対する詳細動作の指示や、各種センサの値を室外側表示部４３に表示させるための指示等が、含まれている。
【００４５】
なお、検査装置５０については、「（４）検査装置」にて詳述する。
【００４６】
（３−７−２）室外側制御部
室外側制御部４２は、ＣＰＵ、ＲＯＭ及びＲＡＭで構成されたマイクロコンピュータであって、室外ユニット３０の各種機器の制御を行う。具体的には、空気調和装置１０が冷房運転や暖房運転を行う際には、室外側制御部４２は、圧縮機モータＭ３２の回転数制御による圧縮機３２の容量制御、四路切換弁３３の流路切換制御、膨張弁３５の開閉制御、室内ファンＭ３８の回転数制御による室内ファン３８の風量制御、等を行う。
【００４７】
特に、各ユニット２０、３０の未接続状態時（即ち、空気調和装置１０のライン検査の段階において、各ユニット２０，３０が互いに接続されていない状態時）に、室外側インターフェース４１が検査用コマンドを検査装置５０から受信した際、本実施形態に係る室外側制御部４２は、室外側制御基板４０に接続されている室外ユニット３０内の各種機器を動作させることで、空気調和装置１０に対し試運転を行わせる。即ち、本実施形態に係る室外側制御部４２は、圧縮機３２や膨張弁３５、室外ファン３８等の各種機器を、空気調和装置１０が冷房運転や暖房運転を行う際のみならず、未だ室外ユニット３０が室内ユニット２０と接続されていない製造工程でのライン検査時にも、動作させる。これにより、空気調和装置１０の製造工程時に行われる、室外ユニット３０に初期不良等の不具合が生じているか否かを把握する室外ユニット３０の検査は、室外ユニット３０を実際に試しに運転させることで行われる。
【００４８】
また、本実施形態に係る室外側制御部４２は、図３に示すように、室外側表示部４３にも接続されている。室外側制御部４２は、室外側表示部４３に表示される表示制御動作を行う。
【００４９】
（３−７−３）室外側表示部
室外側表示部４３は、図３に示すように、複数の７セグメント４３ａ，４３ｂ，４３ｃ，４３ｄによって構成されたディスプレイである。７セグメント４３ａ〜４３ｄにおける個々のセグメントは、それぞれ室外側制御部４２に接続されており、室外側制御部４２によって発光及び消灯の制御が行われる。つまり、７セグメント４３ａ〜４３ｄにおける個々のセグメントのうち、どのセグメントが発光及び消灯するかの制御が室外側制御部４２によって行われることで、室外側表示部４３の表示する内容が変化する。
【００５０】
このような室外側表示部４３は、各ユニット２０，３０の接続状態時、空気調和装置１０に関する情報を、図４に示すように文字及び数字によって表示する。空気調和装置１０に関する情報としては、室内ユニット２０及び室外ユニット３０それぞれに含まれる各種機器のいずれかにおいて異常が生じている場合には、その異常の内容を表す情報、空気調和装置１０が運転を行っている場合には、その運転の種類を表す情報、空気調和装置１０に電源が投入された時に各ユニット２０，３０間で行われる伝送確認の工程を表す情報、等が挙げられる。図４では、一例として、室外側表示部４３には、室外ファンモータＭ３８に脱腸が生じていることを表す情報が、情報“Ｅ４１０”にて表示されている場合を表している。
【００５１】
特に、本実施形態に係る室外側表示部４３は、各ユニット２０，３０の未接続状態時であって且つ室外ユニット３０に検査装置５０が接続されている状態時には、検査装置５０から送信された検査用コマンドに応じた表示を行う。検査用コマンドに応じた表示とは、検査装置５０から送られてきた検査用コマンドそのものであったり、検査装置５０から送られてきた検査用コマンドが室外ユニット３０側における表示仕様に応じて変換された後のコードであったりすることができる。
【００５２】
図５では、一例として、検査装置５０から送信された検査用コマンドが、ライン検査時に室外ユニット３０を試運転させる内容のコマンド“Ｅ００１”であって、該コマンドが室外側表示部４３にそのまま表示された状態を表している。このように、検査装置５０から送信された検査用コマンドが室外側制御部４３にそのままの状態で表示された場合には、ライン検査の担当者は、検査装置５０と室外ユニット３０とが正常に接続されていると判断することができると共に、現時点においては室外ユニット３０に含まれる各種機器は正常であると判断することができる。また、図５の検査用コマンド“Ｅ００１”が、室外ユニット３０側における表示仕様に応じて変換されて表示される場合においては、該仕様に応じて正常に変換された際のコマンド（例えば、コマンド“Ａ１１１”）が室外側表示部４３に表示されていれば、ライン検査の担当者は、検査装置５０と室外ユニット３０とが正常に接続されていると判断することができる。
【００５３】
しかしながら、検査装置５０から送信された検査用コマンドがそのまま室外側表示部４３に表示されない場合、もしくは、表示仕様に応じて変換された際のコマンドが室外側表示部４３に表示されない場合には、ライン検査の担当者は、検査装置５０と室外ユニット３０とが正常に接続されていないか、もしくは室外ユニット３０に含まれる各種機器のいずれかにおいて初期不良が生じていると判断することができる。このような場合としては、具体的には、検査装置５０から送信された検査用コマンドがそのまま表示される際において、図５の検査用コマンド“Ｅ００１”を含めコマンドが全く室外側表示部４３に表示されない場合、図５の検査用コマンド“Ｅ００１”とは異なるコマンドが室外側表示部４３に表示されている場合、等が挙げられる。また、検査装置５０と室外ユニット３０とが正常に接続されていない、もしくは初期不良が生じていると判断できる場合としては、具体的には、表示仕様に応じて変換されたコマンドが室外側表示部４３に表示される際において、コマンドが全く室外側表示部４３に表示されない場合、図５の検査用コマンド“Ｅ００１”に対応する変換後のコマンド“Ａ１１１”とは異なるコマンド（例えば、コマンド“Ａ００５”）が室外側表示部４３に表示されている場合、等が挙げられる。
【００５４】
更に、本実施形態に係る室外側表示部４３には、室外ユニット３０が検査用コマンドにしたがって試運転を行っている際、検査装置５０から送られてきた検査用コマンド“Ｅ００１”の他、室外ユニット３０の試運転中において具体的に現在どのようなステップが行われているのか表す情報、試運転中において動作すべき室外ユニット３０内の機器が動作していないことを表す情報、動作していない機器にて生じている異常内容を表す情報、等が、表示される。これにより、ライン担当者は、実際に室外側表示部４３に表示されているコマンドの内容（例えば、“Ｅ０４７”，“Ａ００５”）を基に、室外ユニット３０に含まれる各種機器のうち、どの機器において初期不良が生じているのかを、把握することも可能となる。
【００５５】
このように、本実施形態に係る室外側表示部４３は、各ユニット２０，３０の接続状態時には、例えばいずれかのユニット２０，３０における異常等の空気調和装置１０に関する情報を、文字及び数字により表示する。更に、各ユニット２０，３０の未接続状態時であって、且つ検査装置５０が室外ユニット３０に接続されている時には、本実施形態に係る室外側表示部４３は、検査装置５０から送信された検査用コマンドに応じた表示を行う。そのため、室外側表示部４３は、空気調和装置１０が使用される環境に設置された場合のみならず、空気調和装置１０の製造工程におけるライン検査時にも、有効に利用される。特に、ライン検査時、室外側表示部４３の表示内容によっては、担当者は、室外ユニット３０と検査装置５０とが正常に接続されているか否かの他、室外ユニット３０の初期不良を把握することができる。
【００５６】
なお、室外側表示部４３の表示する情報が変化する際、それまでに該表示部４３に表示されていた情報から新たな情報へと切り替え表示されてもよいし、それまでに該表示部４３に表示されていた情報は引き続き表示されたまま、新たな情報が追加される状態にて表示されてもよい。
【００５７】
その他、室外ユニット３０には、冷媒圧力センサ、冷媒温度検知センサ、外気温度検知センサ等の様々なセンサが設けられている。これらの各センサにおける検知結果は、上述した室外側制御部４２に送られ、該制御部４２において各種制御に用いられる。
【００５８】
（４）検査装置
検査装置５０は、空気調和装置１０の製造工程にて行われるライン検査時に、室外ユニット３０において初期不良が生じていないか否かを検査するために用いられる装置である。従って、検査装置５０は、各ユニット２０，３０の未接続状態時に、室内ユニット２０とではなく室外ユニット３０と接続される（図２）。
【００５９】
検査装置５０は、図２に示すように、主として、検査用インターフェース５１、記憶部５２、検査装置側制御部５３及び検査装置側表示部５４を有する。
【００６０】
（４−１）検査用インターフェース
検査用インターフェース５１は、図２に示すように、各ユニット２０，３０の未接続状態時（即ち、空気調和装置１０のライン検査の段階において、各ユニット２０，３０が互いに接続されていない状態時）に、検査装置５０と室外ユニット３０とを第２伝送線Ｌ２を介して接続するためのインターフェースである。つまり、検査用インターフェース５１は、ライン検査時、検査装置５０と室外ユニット３０とが通信を行うためのものであって、室外ユニット３０側に上述した検査用コマンドを送信することができる。
【００６１】
（４−２）記憶部
記憶部５２は、例えば不揮発性メモリによって構成されており、室外ユニット３０に送信するための検査用コマンドを、予め複数記憶している。
【００６２】
図６は、記憶部５２に記憶されている複数の検査用コマンドの一例を説明するための図である。記憶部５２には、検査用コマンド“Ｅ００１”において示されるように、室外ユニット３０に対し試運転の開始を指示するためのコマンドや、検査用コマンド“Ｅ００２”“Ｅ００３”“Ｅ００４”において示されるように、室外側制御部４２によって制御されるモータＭ３２，Ｍ３８などの駆動を指示するためのコマンド、検査用コマンド“Ｅ００５”において示されるように、室外ユニット３０に含まれる各種センサの値の室外側表示部４３への表示及び検査装置５０への送信を指示するためのコマンド、等が記憶されている。
【００６３】
ここで、予め記憶部５２にどのような検査用コマンドを記憶させておくかについては、実際にライン検査が行われる前に適宜決められている。例えば、ライン検査にて室外ユニット３０に対し行われる詳細なステップは、室外ユニット３０内におけるほぼ全ての各種機器の初期不良の有無が把握可能なように所定順にて順次行われていく。そこで、記憶部５２が予め記憶しておくべき検査用コマンドは、その詳細なステップと順番とにしたがって、適宜決定されていることが望ましい。
【００６４】
（４−３）検査装置側制御部
検査装置側制御部５３は、ＲＡＭ、ＲＯＭ及びＣＰＵで構成されるマイクロコンピュータである。検査装置側制御部５３は、図２に示すように、検査用インターフェース５１、記憶部５２及び検査装置側表示部５４と接続されている。
【００６５】
室外ユニット３０のライン検査時に、検査用インターフェース５１が第２伝送線Ｌ２を介して室外側インターフェース４１に接続されている際、検査装置側制御部５３は、記憶部５２から検査用コマンドを順次取り出す。そして、検査装置側制御部５３は、取り出した検査用コマンドを、例えば所定時間毎に、第２伝送線Ｌ２を介して室外ユニット３０側に次々と送信する。
【００６６】
（４−４）検査装置側表示部
検査装置側表示部５４は、図３〜５にて示した室外側表示部４３と同様、複数の７セグメントによって構成されたディスプレイである。７セグメントにおける個々のセグメントは、図示してはいないが、それぞれ検査装置側制御部５４に接続されており、検査装置側制御部５４により発光及び消灯の制御が行われる。７セグメントの個々のセグメントのうちどのセグメントが発光及び消灯するかの制御が検査装置側制御部５４によって行われることで、検査装置側表示部５４の表示する内容が変化する。
【００６７】
検査装置側表示部５４が表示する情報としては、室外ユニット３０側に送信するために検査装置側制御部５３が記憶部５２から取り出した検査用コマンドが挙げられる。検査装置側表示部５４は、検査用コマンドが室外ユニット３０側に送信されるのとほぼ同時に、該コマンドを表示する。
【００６８】
（５）室外ユニットの動作
図７は、室内ユニット２０及び室外ユニット３０の未接続状態時に行われる空気調和装置１０（具体的には、室外ユニット３０）のライン検査において、室外ユニット３０と検査装置５０との間で行なわれる一連の動作の流れを表す図である。
【００６９】
まず、空気調和装置１０の製造工程において、ライン検査の担当者は、検査装置５０と室外ユニット３０とを、第２伝送線Ｌ２によって繋ぐ（＃１）。室外ユニット３０と検査装置５０との接続後に、室外ユニット３０に対するライン検査が行われる。
【００７０】
次いで、検査装置５０及び室外ユニット３０に商用電源が投入される。すると、検査装置５０における検査装置側制御部５３は、室外ユニット３０に最初に送るべき検査用コマンドを、記憶部５２から取り出す（＃２）。取り出された検査用コマンドは、検査装置５０の検査用インターフェース５１及び第２伝送線Ｌ２を介して室外ユニット３０に送信されると共に、検査装置側表示部５４にも表示される（＃３）。
【００７１】
室外ユニット３０の室外用インターフェース４１は、検査装置５０が送信した検査用コマンドを受信すると、室外側表示部４３は、該コマンドを表示する。室外側制御部４３は、受信した検査用コマンドに従って、試運転を開始させる（＃４）。
【００７２】
以上の動作により、検査装置５０上の検査装置側表示部５４には、送信された検査用コマンドそのままが表示され、室外側制御基板４０上の室外側表示部４３には、検査用コマンドもしくはこれに対応する情報（具体的には、検査用コマンドが室外ユニット３０の有する表示仕様により変換された情報）が表示されているはずである。そこで、ライン検査の担当者は、各表示部４３，５４の表示内容を比較し、室外ユニット３０において異常が生じていないか否かや、室外ユニット３０と検査装置５０との間の伝送異常（具体的には、断線）がないか否かを、判断することができる（＃５）。具体的に、各表示部４３，５４それぞれが互いに全く対応のしていない別々の情報を表示している場合には、例えば室外ユニット３０において異常が生じていると判断することができる。室外ユニット３０に異常が生じているか、もしくは室外ユニット３０と検査装置５０との間の伝送異常が認められる場合には（＃６のＮｏ）、ライン検査の担当者は、検査装置５０及び室外ユニット３０への商用電源の投入をやめて、室外ユニット３０のライン検査を中止する（＃７）。特に、室外ユニット３０に異常が生じている場合であれば、ライン検査の担当者は、室外ユニット３０において初期不良が生じていると判断し、室外ユニット３０を不良品として選別する。
【００７３】
なお、室外ユニット３０と検査装置５０との間の伝送異常が認められる場合であれば、ライン検査の担当者は、室外ユニット３０と検査装置５０との間を繋ぐ第２伝送線Ｌ２を新たな伝送線に交換して、ライン検査を初めからしなおす。しかし、第２伝送線Ｌ２を新たな伝送線に交換しても、なおも室外ユニット３０と検査装置５０との間の伝送異常が認められる場合には、ライン検査の担当者は、室外ユニット３０及び検査装置５０のいずれかのインターフェース４１，５１等にて異常が生じていると判断する。当該異常が検査装置５０側であれば、ライン検査の担当者は、新たな検査装置５０に交換して、ライン検査を初めからしなおす。当該異常が室外ユニット３０側であれば、ライン検査の担当者は、検査装置５０及び室外ユニット３０への商用電源の投入をやめて、室外ユニット３０を不良品として選別する。
【００７４】
室外ユニット３０に異常が生じておらず、且つ室外ユニット３０と検査装置５０との間の伝送異常も認められない場合には（＃６のＹｅｓ）、室外ユニット３０のライン検査は続行される。具体的には、検査装置５０における検査装置側制御部５３は、次に室外ユニット３０に送るべき検査用コマンドを、記憶部５２から取り出す（＃８）。そして、取り出された検査用コマンドに対して、上述した＃３〜＃７と同様の動作が行われる（＃９〜＃１３）。取り出された検査用コマンドに対する一連の動作が終了した後は、更に次に室外ユニット３０に送るべき検査用コマンドが、検査装置側制御部５３によって記憶部５２から取り出され（＃１４）、当該コマンドに対しても、上述した＃３〜＃７と同様の動作が行われる。このような動作は、検査装置５０が、全ての検査用コマンドを室外ユニット３０に送信するまで、繰り返される（＃１５のＮｏ）。
【００７５】
やがて、検査装置５０は、全ての検査用コマンドを室外ユニット３０に送信した場合には（＃１５のＹｅｓ）、室外ユニット３０に対するライン検査を終了し、ライン検査が終了した旨を表す情報を室外ユニット３０にも送信する（＃１６）。当該情報を受信した室外ユニット３０は、試運転を終了する（＃１７）。これにより、検査装置５０及び室外ユニット３０双方の表示部４３，５４も、表示動作を終了する。そのため、ライン検査の担当者は、室外ユニット３０及び検査装置５０それぞれへの商用電源の投入をやめた後、検査装置５０と室外ユニット３０とを繋ぐ第２伝送線Ｌ２を外して、検査装置５０及び室外ユニット３０を非接続の状態にする。
【００７６】
（６）特徴
（６−１）
本実施形態では、室外ユニット３０が室内ユニット２０と接続されていない状態、即ち、室外ユニット３０が単体で存在する時には、該ユニット３０には検査装置５０が接続され、該ユニット３０の検査が行われる。この際、検査装置５０から室外側制御基板４０へと、室外ユニット３０の検査に関する検査用コマンドが送信され、当該検査用コマンドは、室外側制御基板４０の有する室外側表示部４３に表示される。このように、室外側表示部４３は、室外ユニット３０の検査時にも用いられる。そのため、室外ユニット３０の検査を担当する担当者は、室外側表示部４３を介して、検査装置５０と室外ユニット３０との接続が良好か否かを知ることができる。
【００７７】
更に、室外ユニット３０の検査を担当する担当者は、室外制御部４３に表示された内容に応じて、例えば室外ユニット３０に異常があるか否か等を、知ることができる。
【００７８】
（６−２）
特に、本実施形態に係る室外ユニット３０の室外側インターフェース４１には、空気調和装置１０の出荷前に行われるライン検査時に、検査装置５０が接続される。これにより、室外ユニット３０における初期不良は、空気調和装置１０の製造工程時に把握される。
【００７９】
（６−３）
一方、検査装置５０は、検査装置側表示部５４を有している。検査装置側表示部５４は、接続相手となる室外ユニット３０に送信した検査用コマンドを表示することができる。これにより、検査装置５０と室外側制御基板４０との間が断線している場合、検査装置５０からの検査用コマンドは室外制御基板４０には送られることがないため、たとえ検査装置側表示部５４に検査用コマンドが表示されているとしても、室外側表示部４３には当該検査用コマンドは表示されない。これにより、検査装置５０と室外側制御基板４０とを繋ぐ第２伝送線Ｌ２の断線等の伝送異常が把握できるようになる。また、検査装置５０及び室外側制御基板４０の双方の表示内容によって、検査装置５０及び室外側制御基板４０のどちらが異常であるのか、及びその異常内容等の把握が可能になる。
【００８０】
（６−４）
また、本実施形態では、室外側制御基板４０が検査装置５０から検査用コマンドを受信した際、室外側制御基板４０が室外ユニット３０に含まれる各種機器を実際に動作させることで、室外ユニット３０の検査が行われる。これにより、室外ユニット３０の検査が、より詳細になされるようになる。
【００８１】
（７）変形例
（７−１）変形例Ａ
上記実施形態では、室外ユニット３０のライン検査時、検査装置５０と室外ユニット３０との間の通信は双方向ではなく、検査装置５０から室外ユニット３０への一方向にのみ、第２伝送線Ｌ２を介して検査用コマンドが送信されると説明した。
【００８２】
しかし、室外制御基板４０は、ライン検査時に行われる室外ユニット３０の試運転に関する情報を、室外側インターフェース４１及び第２伝送線Ｌ２を介して検査装置５０に送信する構成を有していても良い。試運転に関する情報としては、検査用コマンドに基づいて室外ユニット３０が行った各種機器の動作の詳細内容を表す情報、試運転時における室外ユニット３０内の各種センサの値を表す情報等が、含まれている。
【００８３】
この場合、検査装置５０が、室外ユニット３０における異常の有無、及び異常の内容を把握する構成を有していると、より好ましい。具体的には、検査用インターフェース５１が、ライン検査時に室外ユニット３０にて行われる試運転に関する情報を該ユニット３０から受信した場合、検査装置側制御部５３は、該情報を検査装置側表示部５４に表示させる制御を行う。その際、検査装置側表示部５４は、受信された情報を、そのまま検査装置側表示部５３に表示させてもよい。または、検査装置側表示部５４は、受信された情報を、検査装置側表示部５３の表示仕様に応じて変換し、変換後の情報を該表示部５３に表示させてもよい。これにより、検査装置側表示部５４は、検査装置５０が送信した検査用コマンドのみならず、検査装置５０が受信したライン検査時に行う試運転に関する情報を表示するができるようになる。
【００８４】
（７−２）変形例Ｂ
上記実施形態において、室外ユニット３０自身は対応のしていない形態の検査用コマンドが検査装置５０から送られてきたことを、室外側制御基板４０の室外側制御部４２が判断した場合には、室外側表示部４３は、送られてきた検査用コマンドを表示するのではなく、当該コマンドが室外ユニット３０においては対応のしていない形態のコマンドであった旨を表示してもよい。これにより、ライン検査の担当者は、単に室外ユニット３０と検査装置５０とを繋ぐ第２伝送線Ｌ２が断線していると判断するのではなく、室外ユニット３０と検査装置５０との間の伝送は正常であるが、伝送以外の異常が検査装置５０の内部または室外ユニット３０の内部のいずれかにて生じていると判断することができる。
【００８５】
（７−３）変形例Ｃ
上記実施形態では、図３〜５に示すように、室外側表示部４３が複数の７セグメント４３ａ〜４３ｄにて構成されており、空気調和装置１０に関する情報及び検査用コマンド等が、文字及び数字にて表示されると説明した。しかし、室外側表示部４３は、７セグメントで構成されているのではなく、マトリクス状に配列された複数のドットＬＥＤにて構成されていてもよい。
【００８６】
また、室外側表示部４３は、空気調和装置１０に関する情報及び検査用コマンド等を、文字のみ、または数字のみによって表示してもよい。
【００８７】
また、検査装置側表示部５４も、複数の７セグメントによって構成されるのではなく、マトリクス状に配列された複数のドットＬＥＤによって構成されていてもよい。
【符号の説明】
【００８８】
１０  空気調和装置
１０ａ  冷媒回路
２０  室内ユニット
２２  室内ファン
Ｍ２２  室内ファンモータ
２３  室内側熱交換器
２４  室内側制御基板
２４ａ  室内側制御部
２５  室内側表示部
３０  室外ユニット
３１  室外ケーシング
３２  圧縮機
Ｍ３２  圧縮機モータ
３３  四路切換弁
３４  室外側熱交換器
３５  膨張弁
３６  液側閉鎖弁
３７  ガス側閉鎖弁
３８  室外ファン
Ｍ３８  室外ファンモータ
４０  室外側制御基板（室外制御装置）
４１  室外側インターフェース（接続部）
４２  室外側制御部
４３  室外側表示部（制御装置側表示部）
４３ａ〜４３ｄ  ７セグメント
５０  検査装置
５１  検査用インターフェース
５３  記憶部
５３  検査装置側制御部
５４  検査装置側表示部
Ｐｉ１，Ｐｉ２  冷媒配管
Ｌ１  第１伝送線
Ｌ２  第２伝送線
【先行技術文献】
【特許文献】
【００８９】
【特許文献１】特開２００９−２４３８４５号公報
【図１】
2014055749.tif 000003
【図２】
2014055749.tif 000004
【図３】
2014055749.tif 000005
【図４】
2014055749.tif 000006
【図５】
2014055749.tif 000007
【図６】
2014055749.tif 000008
【図７】
2014055749.tif 000009